(57)【特許請求の範囲】
【請求項１】
複数の住戸に各々設けられる住戸機と、管理人室機とを有し、前記複数の住戸機のうち特定の住戸機から得られる情報を遮断し、その遮断した情報を前記管理人室機に出力しない遮断設定手段と、前記遮断設定手段により遮断された住戸機を指定して遮断を解除する遮断解除手段とを備えるインターホンシステムにおいて、
前記遮断設定手段が、遮断された住戸機からの緊急情報を受信したときは、その緊急情報を管理人室機に出力することを特徴とするインターホンシステム。
【請求項２】
複数の住戸に各々設けられる住戸機と、集合玄関機及び管理人室機とを有し、前記複数の住戸機及び集合玄関機のうち特定の住戸機及び集合玄関機から得られる情報を遮断し、その遮断した情報を前記管理人室機に出力しない遮断設定手段と、前記遮断設定手段により遮断された住戸機及び集合玄関機を指定して遮断を解除する遮断解除手段とを備えるインターホンシステムにおいて、
前記遮断設定手段が、遮断された住戸機または集合玄関機からの緊急情報を受信したときは、その緊急情報を管理人室機に出力することを特徴とするインターホンシステム。
【発明の詳細な説明】
【０００１】
【発明の属する技術分野】
本発明は、集合住宅などで使用されるインターホンシステムに関し、特に、その管理人室機への各種情報の制御に関する。
【０００２】
【従来の技術】
従来、集合住宅などで使用されるインターホンシステムは、その管理人室機において各住戸機から各種情報が収集されるようになっており、管理人室機では、収集した各情報を表示などすることにより、管理人などにインターホンシステムの各種情報を知らせるものであった。
【０００３】
【発明が解決しようとする課題】
しかしながら、従来のインターホンシステムでは、管理人室機側では、インターホンシステムの全ての住戸機からの情報が収集されるようになっており、インターフォン機能としての情報が必要のない、空き部屋の住戸機などからの情報や、故障中であるということが分かっている住戸機でその修理が完了していない住戸機などからの情報も収集してしまい、それらの必要のない情報の表示などにより、管理人室機側で本当に必要な情報を見逃してしまうという問題点があった。
【０００４】
【課題を解決するための手段】
本発明に係るインターホンシステムは、複数の住戸に各々設けられる住戸機と、管理人室機とを有し、複数の住戸機のうち特定の住戸機から得られる情報を遮断し、その遮断した情報を管理人室機に出力しない遮断設定手段と、遮断設定手段により遮断された住戸機を指定して遮断を解除する遮断解除手段とを備えるインターホンシステムにおいて、遮断設定手段が、遮断された住戸機からの緊急情報を受信したときは、その緊急情報を管理人室機に出力する。
【０００５】
また、本発明に係るインターホンシステムは、複数の住戸に各々設けられる住戸機と、集合玄関機及び管理人室機とを有し、複数の住戸機及び集合玄関機のうち特定の住戸機及び集合玄関機から得られる情報を遮断し、その遮断した情報を管理人室機に出力しない遮断設定手段と、遮断設定手段により遮断された住戸機及び集合玄関機を指定して遮断を解除する遮断解除手段とを備えるインターホンシステムにおいて、遮断設定手段が、遮断された住戸機または集合玄関機からの緊急情報を受信したときは、その緊急情報を管理人室機に出力する。
【０００８】
【発明の実施の形態】
図１は本発明のインターホンシステムの通話制御を行う通話制御装置（ＴＣ）の機能ブロック図である。
図において、１は遮断する情報を指定し、複数の住戸機のうち特定の住戸機から得られるに情報を遮断（マスク）し、その遮断した情報を管理室機などに出力させないようにする遮断設定手段、２は情報を遮断した住戸機を指定して遮断を解除する遮断解除手段、３は遮断された住戸機の住戸機番号などの速断情報を表示させる遮断確認手段、４は通話制御装置（ＴＣ）全体の制御を行う制御手段である。
なお、通話制御装置（ＴＣ）はその他インターホンの通話路などの制御や、住戸機などの監視なども行っている。
【０００９】
図２は、この実施の形態の通話制御装置（ＴＣ）の構成の一例を示すブロック図である。
図において、ＭＰＵはマイクロコンピュータ（マイコン）、ＲＯＭはプログラムなどを記憶したリードオンリーメモリ、ＲＡＭは作業用のランダムアクセスメモリ、ＥＥＰＲＯＭ1 は遮断（マスク）された住戸機の一例である住情盤（住宅情報盤）を記憶する書換可能な不揮発性メモリ、ＥＥＰＲＯＭ2 は履歴記憶用の書換可能な不揮発性メモリ、ＬＴＣは通話線を制御したり状態を監視する通話線制御部、ＬＣＣは制御線と信号を送受信する制御線制御部、ＶＣＣは映像制御装置ＶＣと通信を行う映像線制御部、ＤＳＰは計数管あるいはＬＣＤ等の表示パネル、ＰＣＣはパソコン等の外部機器の接続器ＣＮを有し、外部機器と通信を行う外部機器接続部、ＳＷＣは、システム関係の各種スイッチ、例えば通話線・映像線系統設定、最終階・最終室設定等の各種設定用スイッチや操作スイッチ、電源スイッチ等が設けられたスイッチ部、ＩＦ1 〜ＩＦ6 はインターフェースである。なお、遮断された住情盤を記憶するメモリとしてＥＥＰＲＯＭの代わりにＲＡＭを用いるようにしてもよい。
【００１０】
また、この実施の形態では、図２に示すような通話制御装置（ＴＣ）の構成により、図１に示すような機能ブロックを実現しているが、通話制御装置（ＴＣ）の構成は、図１の機能ブロックを実現できるものであれば、他の構成にすることも可能である。
【００１１】
ここで、本発明が適用されるインターホンシステムの構成について説明する。
図３は本発明の実施の形態に係るインターホンシステムの構成を示す系統図、図４は図３の系統図において、管理人室などに設けられる管理人インターホン（管理人機）の正面概略図である。
図３において、ＴＣは通話制御装置、ＶＣは映像制御装置、ＥＰ1 、ＥＰ2 は、マンションなどの集合住宅の集合玄関に設けられたロビーインターホン（玄関機）、ＳＭ1 、ＳＭ2 は、集合住宅の管理室及び管理人住戸に設けられた管理人インターホン（管理人室機）、ＳＭＰは通話制御装置ＴＣと管理人インターホンＳＭ1 とを１つのケースに収容した管理室親機、Ｊ1 〜Ｊn は集合住宅の各住戸に設けられた少なくともインターホン機能を備えた住情盤である。
また、Ｌ11〜Ｌ13は制御線、Ｌ21〜Ｌ23は第１通話線、Ｌ31〜Ｌ33は第２通話線、Ｌ41〜Ｌ43は第１映像線、Ｌ51〜Ｌ53は第２映像線である。
【００１２】
また、図３で、ＤＰ1 〜ＤＰn は各住戸の玄関の外に設けられその住戸の住情盤Ｊ1 〜Ｊn に接続されたドアホン、ＪＢ2 は住情盤Ｊ2 が設けられた住戸内に設けられ住情盤Ｊ2 に接続された増設インターホン、ＳＥ1 〜ＳＥｎは監視線ＬＳ21〜ＬＳ2nによって住情盤Ｊ1 〜Ｊn に接続された各住戸の玄関及び玄関以外の部分（ベランダに面した窓など）に設けられた防犯センサである。
なお、図３には増設インターホンを１台、住情盤Ｊ2 に接続した場合を例示しているが、複数接続可能であり、住情盤Ｊ1 、Ｊn にも接続することができる。
また、図３の例では、防犯センサＳＥ1 〜ＳＥn は監視線ＬＳ21〜ＬＳ2nに接続しているが、各住戸の玄関部分に設けられた防犯センサＳＥ1 は、監視線ＬＳ21〜ＬＳ2nとは別系統の監視線ＬＳ11〜ＬＳ1nに接続して、玄関以外の部分に設けられた防犯センサＳＥ2 〜ＳＥn とは、別の監視動作をさせるようにしてもよい。
【００１３】
図４において、１０は部屋（住戸）番号やコード等を入力するテンキー、２１〜２５、３１〜３３は各種スイッチ（押しボタンスイッチ）であり、例えば、防犯セット／リセットスイッチ２１、放送スイッチ２２、次の表示を行わせるための次表示スイッチ２３、復旧スイッチ２４、警報音停止スイッチ２５、解錠スイッチ３１、取消スイッチ３２、呼出スイッチ３３である。
また、４１〜４７は各種表示灯であり、例えば、電源灯４１、玄関機ＥＰ1 又はＥＰ2 からの呼出であることを示すロビー灯４２、ドアホンからの呼出であることを示すドアホン灯４３、住情盤からの呼出であることを示す住戸灯４４、トラブルの発生した住情盤があるときに点灯するトラブル表示灯４５、複数の住情盤から警報情報を受信しているときに点灯する次警報灯４６、マスク（遮断）された住情盤があるときに点灯する遮断中灯４７である。
【００１４】
また、５１は複数の７セグメント表示素子又は液晶パネルなどの表示器、６１インターホンのハンドセット（送受話器）、７１はインターホンの呼出音、警報音などを流すスピーカ、８１は玄関機ＥＰ1 又は玄関機ＥＰ2 の図示しないテレビカメラから送られてくる訪問者の映像を映すＣＲＴ又はＬＣＤなどのモニタテレビである。
【００１５】
ここで、まず、この実施の形態におけるインターホンシステムの動作について説明する。
まず、訪問者が図３の玄関機ＥＰ2 の図示しないテンキーを操作して訪問すべき部屋番号１０２を入力し、次ぎに呼出スイッチを押すと、玄関機ＥＰ2 から制御線Ｌ11を介して通話制御装置ＴＣに部屋コードと呼出コードからなる呼出信号が送出される。
通話制御装置ＴＣは玄関機ＥＰ2 から呼出信号を受信すると、空いている通話線、映像線を調べ、第２通話線と第２映像線とが使用中であれば、呼出信号と第１通話線Ｌ22および第１映像線Ｌ42の通話・映像線指定命令を制御線Ｌ12に送出すると共に、第１映像線Ｌ41の映像線指定命令をＬ11を介してＥＰ2 に送出する。また、映像制御装置ＶＣに映像線Ｌ41とＬ42を接続する命令を送出する。
【００１６】
これにより、玄関機ＥＰ2 では、図示しないテレビカメラを起動すると共に、Ｌ41を図示しない映像用接続スイッチで接続し、Ｌ41に訪問者の映像信号を送出する。
また、１０２号室の住情盤Ｊ2 は、制御線Ｌ12を通じ受信した呼出信号と第１通話線Ｌ22および第１映像線Ｌ42の通話・映像線指定命令により、図示しない通話用と映像用の各接続スイッチを制御して第１通話線Ｌ22および第１映像線Ｌ42を接続する。また、図示しないスピーカＳＰＫから呼出音を発し、ロビー灯ＬＰ2 を点灯し、モニタテレビＭＮを起動してＬ22により送られてくる映像信号による映像を放映する。なお、住情盤Ｊ1 〜Ｊn には、図４の管理人室機からからテンキー１０、放送及び次表示スイッチ２２，２３、次警報及び遮断中灯４６，４７、表示器５１を除いた部分を有している。
【００１７】
そして、住情盤Ｊ2 でハンドセットが取り上げられると、住情盤Ｊ2 から通話制御装置ＴＣにＬ12を介してフックオフ信号が送出される。通話制御装置ＴＣは住情盤Ｊ2 からフックオフ信号を受信すると、玄関機ＥＰ2 に対し第１通話線Ｌ21の通話線指定命令を送出し、この命令により玄関機ＥＰ2 は図示しない通話用接続スイッチを制御してＬ21を接続する。これにより玄関機ＥＰ2 と住情盤Ｊ2 との間の通話路が形成され、訪問者と１０２号室の居住者との間で通話が行われる。
【００１８】
また、集合玄関に入館用の自動ドアがある場合には、住情盤Ｊ2 の解錠スイッチを操作するとＬ12，Ｌ11を介してＥＰ2 の電気錠に解錠信号が送られ、自動ドアが開放される。
また、通話が終了して住情盤Ｊ2 のハンドセットを元に戻すと、住情盤Ｊ2 からＬ12を介して通話終了信号が通話制御装置ＴＣに送られ、通話制御装置ＴＣはＬ11とＬ12ならびに映像制御装置ＶＣに終了命令を送出する。これにより、玄関機ＥＰ2 はテレビカメラをオフすると共にＬ21とＬ41の接続スイッチを開放し、住情盤Ｊ2 はモニタテレビをオフすると共にＬ22とＬ42の接続スイッチを開放し、映像制御装置ＶＣはＬ41とＬ42の接続を解放する。この結果、第１通話線Ｌ21，Ｌ22と第１映像線Ｌ41，Ｌ42とは解放される。
【００１９】
次に、この実施の形態の管理人インターホン（管理人室機）ＳＭによる遮断設定・解除及び遮断設定の確認の動作について説明する。
図５、図６は管理人インターホン（管理人室機）ＳＭによる遮断設定・解除及び遮断設定の確認の動作を示すフローチャートである。
【００２０】
まず、管理人インターホン（管理人室機）ＳＭでは、ハンドセットが取上げられたか否かを判断し（Ｓ１００）、Ｓ１００でハンドセットが取上げられたと判断されると、遮断入力のコードが入力されたか否かを判断する（Ｓ１０１）。
そして、Ｓ１０１で遮断入力のコードが入力されないと判断されると、その他の入力に応じた入力処理を行わせ（Ｓ１０２）、終了する。
また、Ｓ１０１で遮断入力のコードが入力されたと判断されると、遮断入力状態の表示を行う（Ｓ１０３）。そして、部屋番号の入力があるか否かを判断し（Ｓ１０４）、Ｓ１０４で部屋番号の入力がないと判断されると、入力・受信表示を消し（Ｓ１１０）、終了する。
【００２１】
また、Ｓ１０４で部屋番号の入力があると判断されると、入力された部屋番号の表示を行い（Ｓ１０５）、セットコードが入力されたか否かを判断する（Ｓ１０６）。
そして、Ｓ１０６でセットコードが入力されたと判断されると、遮断オン命令と部屋番号を通話制御装置ＴＣに送出する（Ｓ１０７）。
そして、通話制御装置ＴＣから遮断中灯点灯命令を受信したか否かを判断し（Ｓ１０８）、Ｓ１０８で遮断中灯点灯命令を受信していないと判断されると、入力・受信表示を消し（Ｓ１１０）、終了する。
また、Ｓ１０８で遮断中灯点灯命令を受信したと判断されると、遮断中灯を点灯し（Ｓ１０９）、入力・受信表示を消し（Ｓ１１０）、終了する。
【００２２】
また、Ｓ１０６でセットコードが入力されないと判断されると、リセットコードが入力されたか否かを判断する（Ｓ１１１）。
そして、Ｓ１１１でリセットコードが入力されないと判断されると、入力・受信表示を消し（Ｓ１１０）、終了する。
また、Ｓ１１１でリセットコードが入力されたと判断されると、遮断オフ命令と部屋番号を通話制御装置ＴＣに送出する（Ｓ１１２）。
そして、通話制御装置ＴＣから遮断中灯消灯命令を受信したか否かを判断し（Ｓ１１３）、Ｓ１１３で遮断中灯消灯命令を受信していないと判断されると、入力・受信表示を消し（Ｓ１１０）、終了する。
また、Ｓ１１３で遮断中灯消灯命令を受信したと判断されると、遮断中灯を消灯し（Ｓ１１４）、入力・受信表示を消し（Ｓ１１０）、終了する。
【００２３】
また、Ｓ１００でハンドセットが取上げられないと判断されると、遮断確認のコードが入力されたか否かを判断する（Ｓ１２０）。
そして、Ｓ１２０で遮断確認のコードが入力されないと判断されると、他の入力に応じた入力処理を行わせ（Ｓ１２１）、終了する。
また、Ｓ１２０で遮断確認のコードが入力されたと判断されると、遮断確認状態の表示を行い（Ｓ１２２）、遮断確認命令を通話制御装置ＴＣに送出する（Ｓ１２３）。
【００２４】
そして、通話制御装置ＴＣから部屋番号を受信したか否かを判断し（Ｓ１２４）、Ｓ１２４で部屋番号を受信していないと判断されると、通話制御装置ＴＣから終了命令を受信したか否かを判断する（Ｓ１３０）。
そして、Ｓ１３０で終了命令を受信していないと判断されると、Ｓ１２４に戻り、Ｓ１３０で終了命令を受信したと判断されると、入力・受信表示を消し（Ｓ１１０）、終了する。
【００２５】
また、Ｓ１２４で部屋番号を受信したと判断されると、その部屋番号を表示し（Ｓ１２５）、リセットコードが入力されたか否かを判断する（Ｓ１２６）。
そして、Ｓ１２６でリセットコードが入力されたと判断されると、遮断オフ命令を通話制御装置ＴＣに送出し（Ｓ１２８）、通話制御装置ＴＣから遮断中灯消灯命令を受信したか否かを判断し（Ｓ１２８）、Ｓ１２８で遮断中灯消灯命令を受信したと判断されると、遮断中灯を消灯し（Ｓ１２９）、次表示スイッチがオンされたか否かを判断する（Ｓ１３１）。
また、Ｓ１２６でリセットコードが入力されないと判断されると、次表示スイッチがオンされたか否かを判断し（Ｓ１３１）、Ｓ１２８で遮断中灯消灯命令を受信しないと判断されると次表示スイッチがオンされたか否かを判断する（Ｓ１３１）。
【００２６】
そして、Ｓ１３１で次表示スイッチがオンされたと判断されると、後続要求命令を通話制御装置ＴＣに送出し（Ｓ１３２）、Ｓ１２４に戻る。
また、Ｓ１３１で次表示スイッチがオンでないと判断されると、入力・受信表示を消し（Ｓ１１０）、終了する。
【００２７】
ここで、上記動作による具体例について説明する。
まず、ここでは、１０１号室の住戸が空き部屋であり、１０１号室の住情盤Ｊ1 から出力される情報に対してマスクをかける遮断設定（セット）、マスクを解除する遮断解除（リセット）する例で説明する。
なお、マスクセット、マスクリセットの操作はこの実施の形態では、管理人室機ＳＭ1 もしくは管理人室機ＳＭ2 で行うが、通話制御装置ＴＣにマスクセット、マスクリセット用の各種スイッチやテンキーを設け、通話制御装置ＴＣで行えるようにしてもよい。
【００２８】
まず、１０１号室の住情盤Ｊ1 に対してマスクセットする場合には、まず管理人室機ＳＭ1 のハンドセット６１を取り上げ、テンキー１０を操作して遮断入力のコードを入力する。これで表示器５１に遮断入力状態が表示される。
この状態でテンキー１０から部屋番号「１０１」を入力すると、表示器５１に「１０１」が表示され、ついでテンキー１０を操作してセットコードを入力すると、遮断オン命令と部屋番号コードが制御線Ｌ13を介して通話制御装置ＴＣに送出される。
【００２９】
この送信に対して通話制御装置ＴＣから遮断中灯点灯命令をＬ13を介して受信すると、遮断中灯47を点灯制御する。そして、表示器５１の表示を消して管理室機ＳＭ1 側のマスク設定操作は終了する。
ところで、ハンドセット６１の取り上げ後の操作が他の操作だった場合にはその操作入力に対応した処理、例えば他の部屋の住情盤の呼出を行い、遮断入力表示の後の部屋番号入力が所定時間なかった場合、もしくは、部屋番号入力後にセット入力・リセット入力が所定時間なかった場合、ハンドセット６１を途中で戻した場合には、マスク設定操作は自動的に終了する。
【００３０】
なお、ハンドセット６１を取り上げる代わりに、設定スイッチを設けるようにしても、セット入力、リセット入力をテンキー１０からコード入力する代わりに、セットスイッチ、リセットスイッチを設けてもよい。
【００３１】
また、マスクセットされている１０１号室の住情盤Ｊ1 に対してマスクリセットする場合には、まず、管理人室機ＳＭ1 のハンドセット６１を取り上げ、テンキー１０を操作して遮断入力のコードを入力する。これで表示器５１に遮断入力状態が表示される。
この状態でテンキー１０から部屋番号「１０１」を入力すると、表示器５１に「１０１」が表示され、ついでテンキー１０を操作してリセットコードを入力すると、遮断オフ命令と部屋番号コードが制御線Ｌ13を介して通話制御装置ＴＣに送出される。
【００３２】
この送信に対して通話制御装置ＴＣから遮断中灯消灯命令をＬ13を介して受信すると、遮断中灯４７を消灯制御する。そして、表示器５１の表示を消して管理室機ＳＭ1 側のマスク設定操作は終了する。
ところで、ハンドセット６１の取り上げ後の操作が他の操作だった場合にはその操作入力に対応した処理、例えば他の部屋の住情盤の呼出を行い、遮断入力表示の後の部屋番号入力が所定時間なかった場合、もしくは、部屋番号入力後にセット入力・リセット入力が所定時間なかった場合、ハンドセット６１を途中で戻した場合には、マスク設定操作は自動的に終了する。
【００３３】
なお、ハンドセット６１を取り上げる代わりに、設定スイッチを設けるようにしても、セット入力、リセット入力をテンキー１０からコード入力する代わりに、セットスイッチ、リセットスイッチを設けてもよい。
【００３４】
また、マスクされた住情盤を知りたい場合には、管理人室機ＳＭ1 のテンキー１０から遮断確認コードを入力する。なお、テンキー10で入力する代わりに遮断確認スイッチを設けてもよい。
この入力により表示器５１に遮断確認が表示されると共に、制御線Ｌ13を介して通話制御装置ＴＣに遮断確認命令が送信される。
【００３５】
そして、通話制御装置ＴＣから部屋番号を受信するとその部屋番号が表示器５１に表示される。
この状態で、次表示スイッチ２４を押すと、Ｌ13を介して後続要求命令がＴＣに送信され、これによりＴＣから次の部屋番号を受信するとそれを表示器５１に表示する。また、後続要求命令に対しＴＣから終了命令を受信すると、表示器５１の表示を消して遮断確認を自動的に終了する。
【００３６】
一方、通話制御装置ＴＣから受信した部屋番号が表示器５１に表示されている状態でテンキー１０からリセットコードを入力すると、遮断オフ命令がＬ13を通じて通話制御装置ＴＣに送信され、これにより通話制御装置ＴＣから遮断中灯消灯命令を受信すると遮断中灯４７を消灯する。
ところで、表示器５１に部屋番号の表示中にリセット入力もしくは次表示スイッチの操作が所定時間なかったときには、表示器５１の表示を消して遮断確認を自動的に終了する。
なお、管理人室機ＳＭ2 でも同様な操作ができるとともに、ＳＭ1 （ＳＭ2 ）で操作した時には、ＳＭ2 （ＳＭ1 ）のトラブル灯４５、遮断中灯４７が連動して同じ表示を行う。
【００３７】
次に、この実施の形態の通話制御装置ＴＣの動作について説明する。
図７は通話制御装置ＴＣの動作を示すフローチャートである。
まず、制御線Ｌ13を介して管理人室機ＳＭ1 から遮断オン命令を受信すると遮断オン処理を行い（Ｓ１４０, Ｓ１４１）、制御線Ｌ13を介して管理人室機ＳＭ1 から遮断オフ命令を受信すると遮断オフ処理を行い（Ｓ１４２, Ｓ１４３）、制御線Ｌ13を介して管理人室機ＳＭ1 から遮断確認命令を受信すると遮断確認処理を行う（Ｓ１４４, Ｓ１４５）。
また、制御線Ｌ13を介して管理人室機ＳＭ1 から他の処理要求があれば、その要求内容を処理し（Ｓ１４６，Ｓ１４７）、周期的（例えば、周期的に生じるタイマ割り込み）にポーリング処理を行い（Ｓ１４８，Ｓ１４９）、Ｓ１４０〜Ｓ１４９の処理を繰り返し処理する。
【００３８】
次に、図７のＳ１４１，Ｓ１４３，Ｓ１４５，Ｓ１４９における各処理について説明する。
図８〜図１１は図７における各処理の動作を示すフローチャートである。
まず、図７のＳ１４１における遮断オン処理は図８に示すように、通話制御装置ＴＣは、遮断オン命令と部屋番号を受信すると、ＥＥＰＲＯＭ1 の遮断領域に受信した部屋番号を記憶させる（Ｓ１５０，Ｓ１５１）。
そして、このとき同時に履歴メモリーであるＥＥＰＲＯＭ2 には、部屋番号と遮断オンと受信時刻（又は記憶時刻）を履歴として記憶させている。
そして、トラブル表示灯の消灯命令と遮断中灯の点灯命令をＬ13を介してＳＭ1 に送信し（Ｓ１５２，Ｓ１５３）、これにより管理人室機ＳＭ1 ではトラブル表示灯４５が点灯していれば消灯する。
【００３９】
また、図７のＳ１４３における遮断オフ処理は図９に示すように、通話制御装置ＴＣは、遮断オフ命令と部屋番号を受信すると、ＥＥＰＲＯＭ1 の遮断領域に記憶している部屋番号の中から受信した部屋番号を消去する（Ｓ１６０，Ｓ１６１）。
そして、このとき同時に履歴メモリーであるＥＥＰＲＯＭ2 には、その部屋番号と遮断オフと受信時刻（または消去時刻）を履歴として記憶させている。
【００４０】
そしてＥＥＰＲＯＭ1 にまだ部屋番号が残っているかチェックし部屋番号がなければ、すなわちマスクされた住情盤がなければ遮断中灯の消灯命令をＬ13を介して管理人室機ＳＭ1 に送信する（Ｓ１６２，Ｓ１６３）。これにより、管理人室機ＳＭ1 では、遮断中灯４７が点灯していれば消灯する。
【００４１】
また、図７のＳ１４５における遮断確認処理は図１０に示すように、通話制御装置ＴＣは、遮断確認命令を受信すると、ＥＥＰＲＯＭ1 に部屋番号が記憶されているかチェックし、ＥＥＰＲＯＭ1 に記憶部屋番号がなければ、終了命令をＬ13を介して管理人室機ＳＭ1 に送信する（Ｓ１７０，Ｓ１７８）。
また、ＥＥＰＲＯＭ1 に部屋番号が記憶されていると、ＥＥＰＲＯＭ1 から最初の部屋番号を読み出してＬ13を介し管理人室機ＳＭ1 に送信する（Ｓ１７０，Ｓ１７１）。
この状態で管理人室機ＳＭ1 から後続要求命令を受信すると、ＥＥＰＲＯＭ1 から次の部屋番号を読み出して管理人室機ＳＭ1 に送信する（Ｓ１７３，Ｓ１７４）。
【００４２】
一方、この状態で管理人室機ＳＭ1 から遮断オフ命令を受信すると、送信した部屋番号をＥＥＰＲＯＭ1 から消去する（Ｓ１７２，Ｓ１７５）。そして、このとき同時に履歴メモリーであるＥＥＰＲＯＭ2 にその部屋番号と遮断オフと受信時刻（または消去時刻）を記憶させている。
そしてＥＥＰＲＯＭ1 にまだ部屋番号の記憶があるかチェックし、部屋番号の記憶がなければ遮断中灯の消灯命令をＬ13を介して管理人室機ＳＭ1 に送信し（Ｓ１７６，Ｓ１７７）、終了命令をＬ13を介して管理人室機ＳＭ1 に送信する（Ｓ１７８）。この遮断中灯消灯命令により、管理人室機ＳＭ1 では遮断中灯４７が消灯する。
【００４３】
ところで、部屋番号を送信した後に管理人室機ＳＭ1 から後続要求命令も遮断オフ命令も所定時間受信しないときは、管理人室機ＳＭ1 に終了命令を送信して遮断確認処理を終了する（Ｓ１７８）。
【００４４】
また、図７のＳ１４９におけるポーリング処理は図１１に示すように、通話制御装置ＴＣは、制御線Ｌ12を通じて住情盤Ｊ1 〜Ｊn を順次ポーリングして住情盤Ｊ1 〜Ｊn の各種状態情報（例えば、各種トラブルの有無、非常信号の有無、ガス漏れ信号の有無、防犯発生信号の有無、火災信号の有無等）の収集を行い、表示や警報が必要な情報を住情盤Ｊ1 〜Ｊn から受信したときはその情報を管理人室機ＳＭ1 に送信して表示や警報動作を行わせる。
【００４５】
通話制御装置ＴＣはポーリング周期になると住情盤Ｊ1 〜Ｊn を順次に呼び出し状態情報を受信する（Ｓ１８０，Ｓ１８１）。
そして、呼び出した住情盤Ｊ1 〜Ｊn から状態情報を受信すると、状態情報中に緊急情報、例えば非常信号や防犯発生信号がないか判別し、緊急情報があればその情報をＬ13を介して管理人室機ＳＭ1 に送信する（Ｓ１８２，Ｓ１８５）。
【００４６】
また、住情盤Ｊ1 〜Ｊn から受信した状態情報中に緊急情報がない場合には、その住情盤がＥＥＰＲＯＭ1 に記憶されている部屋番号の住情盤かチェックし、記憶されている部屋の住情盤Ｊ1 〜Ｊn であれば情報中にトラブル発生情報があっても無視して次の住情盤Ｊ1 〜Ｊn のボーリングに移る（Ｓ１８３，Ｓ１８６）。
一方、ＥＥＰＲＯＭ1 に記憶されていない部屋の住情盤Ｊ1 〜Ｊn の場合には、管理人室機ＳＭ1 に通知する必要のある情報があるかチェックし、通知が必要な情報があればその情報をＬ13を介して管理人室機ＳＭ1 に送信する（Ｓ１８４，Ｓ１８５）。
【００４７】
この実施の形態では、通話制御装置ＴＣにより、住情盤Ｊ1 〜Ｊn からの各種情報の内、遮断してもかまわない情報を遮断して、管理人室機ＳＭ1 に出力しないようにしたので、インターフォン機能としての情報が必要のない、空き部屋の住情盤などからの情報や、故障中であるということが分かっている住情盤でその修理が完了していない住情盤などからの情報も収集することがなく、管理人室機側での必要な情報を確実に管理人などに伝えることが可能となる。
【００４８】
なお、この実施の形態では、インターホンシステムのインターホン機能を主に説明したが、この実施の形態のインターホンシステムにおける住情盤Ｊ1 〜Ｊn は、室内の防犯や防災関係の情報も収集し、それらのデータを、例えば、火災受信機などで受信するようにすることにより、防犯・防火システムと一体化したシステムとして使用することもできる。
【００４９】
また、この実施の形態では、通話制御装置ＴＣにより、図１に示す機能ブロックを実現するようにしているが、図１に示す機能ブロックを実現するものであれば、他の装置、例えば、管理人室機により行うようにしてもよい。
また、遮断設定手段１を、遮断設定入力部と遮断設定実行部とから構成し、遮断解除手段２を遮断解除入力部と遮断解除実行部とから構成し、例えば、その遮断設定入力部及び遮断解除入力部を管理人室機ＳＭ1 内に設けるようにしてもよく、また、その遮断設定設定部及び遮断解除設定部を通話制御装置ＴＣ内に設けるようにしてもよい。この場合、管理人室機ＳＭ1 での処理を少なくすることが可能となる。
【００５０】
【発明の効果】
本発明によれば、遮断設定手段が、遮断された住戸機からの緊急情報を受信したときは、その緊急情報を管理人室機に出力するようにしたので、緊急情報は確実に管理人室機に伝えることができるという効果を有する。
【００５１】
また、本発明によれば、遮断設定手段が、遮断された住戸機または集合玄関機からの緊急情報を受信したときは、その緊急情報を管理人室機に出力するようにしたので、緊急情報は確実に管理人室機に伝えることができるという効果を有する。
【図面の簡単な説明】
【図１】本発明のインターホンシステムの通話制御を行う通話制御装置（ＴＣ）の機能ブロック図である。
【図２】実施の形態の通話制御装置（ＴＣ）の構成の一例を示すブロック図である。
【図３】本発明の実施の形態に係るインターホンシステムの構成を示す系統図である。
【図４】管理人室などに設けられる管理人インターホン（管理人機）の正面概略図である。
【図５】管理人インターホン（管理人室機）ＳＭによる遮断設定・解除及び遮断設定の確認の動作を示すフローチャート（その１）である。
【図６】管理人インターホン（管理人室機）ＳＭによる遮断設定・解除及び遮断設定の確認の動作を示すフローチャート（その２）である。
【図７】通話制御装置ＴＣの動作を示すフローチャートである。
【図８】遮断オン処理の動作を示すフローチャートである。
【図９】遮断オフ処理の動作を示すフローチャートである。
【図１０】遮断確認処理の動作を示すフローチャートである。
【図１１】ポーリング処理の動作を示すフローチャートである。
【符号の説明】
１  遮断設定手段
２  遮断解除手段
３  遮断確認手段
４  制御手段
ＭＰＵ  マイクロコンピュータ（マイコン）
ＲＯＭ  プログラムなどを記憶したリードオンリーメモリ
ＲＡＭ  ランダムアクセスメモリ
ＥＥＰＲＯＭ1   不揮発性メモリ
ＥＥＰＲＯＭ2   不揮発性メモリ
ＬＴＣ  通話線制御部
ＬＣＣ  る制御線制御部
ＶＣＣ  映像線制御部
ＤＳＰ  表示パネル
ＰＣＣ  外部機器接続部
ＳＷＣ  スイッチ部
ＩＦ1 〜ＩＦ6   インターフェース
ＴＣ  通話制御装置
ＶＣ  映像制御装置
ＥＰ1 ，ＥＰ2   ロビーインターホン（玄関機）
ＳＭ1 ，ＳＭ2   管理人インターホン（管理人機）
ＳＭＰ  管理室親機
Ｊ1 〜Ｊn   住宅情報盤（住情盤）
Ｌ11〜Ｌ13  制御線
Ｌ21〜Ｌ23  第１通話線
Ｌ31〜Ｌ33  第２通話線
Ｌ41〜Ｌ43  第１映像線
Ｌ51〜Ｌ53  第２映像線
ＤＰ1 〜ＤＰn   ドアホン
ＪＢ2   増設インターホン
ＳＥ1   各住戸の玄関の防犯センサ
ＳＥ2 〜ＳＥn   各住戸の玄関以外の防犯センサ
１０  テンキー
２１  防犯セット／リセットスイッチ
２２  放送スイッチ
２３  次表示スイッチ
２４  復旧スイッチ
２５  警報音停止スイッチ
３１  解錠スイッチ
３２  取消スイッチ
３３  呼出スイッチ
４１  電源灯
４２  ロビー灯
４３  ドアホン灯
４４  住戸灯４４
４５  トラブル表示灯
４６  次警報灯
４７  遮断中灯
５１  表示器
６１  ハンドセット（送受話器）
７１  スピーカ
８１  モニタテレビ
【図１】
0003906401.tif 000002
【図２】
0003906401.tif 000003
【図３】
0003906401.tif 000004
【図４】
0003906401.tif 000005
【図５】
0003906401.tif 000006
【図６】
0003906401.tif 000007
【図７】
0003906401.tif 000008
【図８】
0003906401.tif 000009
【図９】
0003906401.tif 000010
【図１０】
0003906401.tif 000011
【図１１】
0003906401.tif 000012